(57)【特許請求の範囲】
【請求項１】
印刷機枠体と、前記印刷機枠体に対し作動位置と該印刷機枠体外の取出し位置にとの間に移動される印刷ドラムと、印刷を実行する作動位置に於ける前記印刷ドラムの前記印刷機枠体に対する左右位置を調節する印刷画像左右位置調節手段とを有し、前記印刷画像左右位置調節手段は、前記印刷機枠体に対する前記印刷ドラムの左右方向の標準位置を検出する標準位置検出手段と、前記標準位置からの前記印刷機枠体に対する前記印刷ドラムの左右方向の偏倚量を計測する偏倚計測手段と、復帰指令信号に応答して前記印刷機枠体に対する前記印刷ドラムの左右位置を前記標準位置へ復帰させる標準位置復帰手段と、手にて時計廻り方向及び反時計廻り方向に回転される回転ノブと、該回転ノブの回転運動を直線運動に変換して前記標準位置復帰手段により前記標準位置へ復帰された前記印刷ドラムの前記印刷機枠体に対する左右位置を微調整する運動変換機構と、前記回転ノブの回転が前記運動変換機構を経て前記印刷ドラムに伝達されることを選択的に遮断するクラッチと、前記クラッチの係合および遮断を制御する回転ノブオンオフ制御装置とを有し、前記回転ノブオンオフ制御装置は前記標準位置検出手段が前記印刷機枠体に対し前記印刷ドラムが前記標準位置に設定されていると判断しているときのみ前記クラッチを係合させるようになっていることを特徴とする孔版印刷機。
【発明の詳細な説明】
【０００１】
【産業上の利用分野】
本発明は、孔版印刷の技術分野に係り、より詳細には孔版印刷による印刷画像の左右位置の調節をアナログ感覚にて迅速且つ繊細に行えるよう孔版印刷機を改良することに係る。尚、本願明細書に於て、左右方向或いは左右位置とは、印刷ドラムの中心軸線に沿う方向或いは該方向に沿う位置である。
【０００２】
【従来の技術】
印刷画像の左右位置を調節することのできる手段を備えた孔版印刷機として、本件出願人と同一の出願人による特願平５―３０６０３２号（特開平７−１３７４１８号）により、印刷ドラムを回転可能に支持し該印刷ドラムを印刷機内の作動位置と印刷機外の取出し位置との間に移動させるよう印刷機枠体に対し印刷ドラムの軸線に沿う方向に移動可能に懸架された印刷ドラム担持装置を有し、印刷を実行する作動位置にある印刷ドラムの印刷機枠体に対する左右位置を微調節する印刷画像左右位置調節手段を備えた孔版印刷機が提案された。
【０００３】
上記の先の提案になる孔版印刷機に於ては、印刷画像左右位置調節手段は、パルスモータと、それを第一の作動方向或はそれと反対の第二の作動方向へステップ状に作動させる左右位置調節用の押しボタンとを備え、これら二つの左右位置調節押しボタンのいずれかを孔版印刷機の使用者が少しづつ押すことにより、その都度ステップモータが前記第一の方向又は第二の方向へ回転し、それに応じて印刷画像位置が少しづつ左方向又は右方向へ調節されるようになっている。
【０００４】
【発明が解決しようとする課題】
上記の如く印刷画像左右位置調節手段がパルスモータとそれをいずれかの作動方向にステップ状に作動させる二つの押しボタンとにより作動するようになっているときには、押しボタンが一回押される度毎に生ずる単位調節量を小さくすればするほど、より微細な調節が可能となるが、その反面、比較的大きい量の左右位置調節を行なわんとするときには、押しボタンを多数回押さなければならないという面倒が生ずる。又当然のことながら、逆に、押しボタンが一回押される度毎の単位調節量を粗くすると、比較的大きい量の調節は楽になるが、微細な調節ができなくなるという不都合が生ずる。
【０００５】
本発明は、上記の如きデジタル式調節装置に於ける調節単位の設定に関する二律背反的問題に鑑み、それを克服した印刷画像左右位置調節手段を備えた孔版印刷機を提供することを課題としている。
【０００６】
【課題を解決するための手段】
上記の課題は、本発明によれば、印刷機枠体と印刷ドラムとを有する孔版印刷機にして、
手にて時計廻り方向及び反時計廻り方向に回転される回転ノブと該回転ノブの回転運動を直線運動に変換する運動変換機構とを含み、印刷を実行する作動位置に於ける前記印刷ドラムの前記印刷機枠体に対する左右位置を前記回転ノブの回転に応じて微調節する印刷画像左右位置調節手段を有することを特徴とする孔版印刷機によって達成される。
【０００７】
前記運動変換機構は該機構を通る印刷ドラム左右位置調節用運動の伝達を選択的に遮断するクラッチ手段を含んでいてよい。
【０００８】
又上記の如き印刷画像左右位置調節手段は、前記印刷機枠体に対する前記印刷ドラムの左右方向の標準位置を検出する標準位置検出手段と、前記標準位置からの前記印刷機枠体に対する前記印刷ドラムの左右方向の偏倚量を計測する偏倚計測手段と、復帰指令信号に応答して前記印刷機枠体に対する前記印刷ドラムの左右位置を前記標準位置へ復帰させる手段とを有していてよい。
【０００９】
又前記印刷ドラムは該印刷ドラムを回転可能に支持し該印刷ドラムを前記作動位置と前記印刷機枠体外の取出し位置との間に移動させる印刷ドラム担持装置を介して前記印刷機枠体に装着されており、前記印刷画像左右位置調節手段は前記印刷機枠体に対する前記印刷ドラム担持装置の左右位置を調節することにより前記印刷ドラムの前記印刷機枠体に対する左右位置を微調節するようになっていてよい。
【００１０】
【発明の作用及び効果】
上記の如く印刷画像左右位置調節手段が、手にて時計廻り方向及び反時計廻り方向に回転される回転ノブと該回転ノブの回転運動を直線運動に変換する運動変換機構とを含み、印刷を実行する作動位置に於ける前記印刷ドラムの前記印刷機枠体に対する左右位置を前記回転ノブの回転に応じて微調節するようになっていれば、印刷画像左右位置の調節の微細度は回転ノブを手にて回す手加減により無限小まで任意に且つ連続的に小さくでき、しかも尚調節量が比較的大きいときには先ず回転ノブを大まかに大きな回転角度にわたって早く回し、しかる後繊細に小さな回転角度にて微調節を行うことにより、大きい調節量も速やかに達成することができる。
【００１１】
又上記の如き印刷画像左右位置調節手段を備えた孔版印刷機に於て、前記運動変換機構が該機構を通る印刷ドラム左右位置調節用運動の伝達を選択的に遮断するクラッチ手段を含んでいるときには、印刷ドラムに製版済みの孔版原紙が巻装される着版工程中の如く印刷機枠体に対する印刷ドラムの左右位置が変化すべきでない期間中、該クラッチ手段を印刷機の作動工程に関連して自動的に遮断することができ、これによって印刷ドラムへの製版済み孔版原紙の巻装工程中に回転ノブが回転されることにより印刷ドラムに巻装された孔版原紙にしわが生ずる如き不都合が確実に回避される。
【００１２】
又上記の如き印刷画像左右位置調節手段が、前記印刷機枠体に対する前記印刷ドラム担持装置の左右方向の標準位置を検出する標準位置検出手段と、前記標準位置からの前記印刷機枠体に対する前記印刷ドラム担持装置の左右方向の偏倚量を計測する偏倚計測手段と、復帰指令信号に応答して前記印刷機枠体に対する前記印刷ドラム担持装置の左右位置を前記標準位置へ復帰させる手段とを有していれば、使用者は標準位置より出発して回転ノブの回転位置がどこであるかを一切気にすることなく偏倚計測手段により計測される偏倚量のみを参照しつつ自由に回転ノブを回転させて所望の印刷画像左右位置を達成することができる。
【００１３】
又前記印刷ドラムが該印刷ドラムを回転可能に支持し該印刷ドラムを前記作動位置と前記印刷機枠体外の取出し位置との間に移動させる印刷ドラム担持装置を介して前記印刷機枠体に装着されており、前記印刷画像左右位置調節手段は前記印刷機枠体に対する前記印刷ドラム担持装置の左右位置を調節することにより前記印刷ドラムの前記印刷機枠体に対する左右位置を微調節するようになっているときには、かかる印刷機枠体に対する印刷ドラムの装填、取出しのための移動の案内機構を有効に利用しつつ本発明によるアナログ式印刷画像左右位置調節装置を孔版印刷機に組み込むことができる。
【００１４】
【実施例】
以下に添付の図を参照して、本発明を実施例について詳細に説明する。
【００１５】
添付の図１、図２及び図３は、本発明による孔版印刷機の一つの実施例を、印刷ドラムと、それを担持する印刷ドラム担持装置と、該印刷ドラム担持装置を印刷機枠体に対し印刷ドラムの軸線に沿う方向に移動可能に懸架する手段と、印刷ドラム担持装置と印刷機枠体との間に作用して作動位置にある印刷ドラムの印刷機枠体に対する軸線方向位置を微調節する印刷画像左右位置調節手段とについて示す平面図、側面図、及び端面図である。また図４は、図３に示されている構造の一部を図を明瞭にするため図３より幾分拡大して示す同様の端面図であり、更に図５は図４に対応する図示部の側面図であって図２の一部を拡大したものに相当する側面図である。これらの図に於て同一の部分は各図に於て同一の符号により示されている。
【００１６】
これらの図に於て、１０は印刷ドラムであり、一対のサイドフレーム１２、端板１４及び１６、持上げ把手１８、軸受２０及び２２等より構成された印刷ドラム担持装置２４に、その軸受２０及び２２により、軸線方向には固定され中心軸線の周りに自由に回転可能に支持されている。
【００１７】
印刷ドラム担持装置２４は、その一対のサイドフレーム１２の部分にて、一対の中間の移動レール２６に、該移動レールに固定された懸架金具２８を介して懸架されている。一対の中間移動レール２６は、それぞれ対応する一対の固定レール３０によりそれに沿って移動可能に支持されている。一対の固定レール３０は、印刷機枠体３２の一部をなす側板３４及び３６より支持されている。
【００１８】
印刷ドラム担持装置２４には、その端板１６の部分に取扱者が該印刷ドラム担持装置を印刷ドラムの軸線に沿う方向に移動させる作業を容易にするための引出し把手３８が設けられている。
【００１９】
図１及び２に示されている状態に於ては、印刷ドラム担持装置２４は、印刷ドラム１０を印刷機内の作動位置にもたらす印刷機枠体３２内の図にて右方への一杯の挿入位置より図にて左方に位置する引出し位置へ向けて幾分引出された状態にある。これより更に印刷ドラム担持装置２４が印刷機枠体３２に対し図にて左方へ移動されると、印刷ドラム担持装置２４は完全に印刷機の側板３６より外へ引出される。この状態で取扱者が持上げ把手１８を手にて掴んで上方へ引き上げ、一対のサイドフレーム１２を中間移動レール２６に固定された懸架金具２８との懸架係合から引き外せば、印刷ドラム１０は印刷ドラム担持装置２４に組込まれた状態で印刷ドラム担持装置と共に印刷機より完全に取り外される。
【００２０】
印刷ドラム１０は、その軸線方向両端部が一対の円板部材４０及び４２により構成され、これら一対の円板部材が図には見えていない印刷ドラムの軸線に平行に延在する横木によって連結され、可撓性のある長方形の多孔性シート材４４がその一端部を前記横木に固定され（但し円板部材４０、４２と横木とは一体の構造体であってもよい）、該一端部よりその両側縁部をそれぞれ円板部材４０及び４２の外周面上に自由に着座させた状態にて円筒状に巻かれた構造を有している。円板部材４０及び４２はそれぞれその側周縁部に沿って歯車４６及び４８を形成されており、これらの歯車に噛合うピニオン５０及び５２が共通の回転軸５４を経て回転駆動されることにより、可撓性多孔シート材４４がなす円筒体にねじれを生ずることなく印刷ドラム１０が全体として一様に回転駆動されるようになっている。
【００２１】
印刷ドラム担持装置２４が図１及び２に示す位置から印刷機枠体３２に対し図にて右方へ向けて押込まれると、軸受２０は印刷機枠体の側板３４に設けられた環状の軸受支持部５６に嵌合し、また印刷ドラム担持装置の端板１４にこれより印刷ドラムの中心軸線に平行に突出るよう設けられた係合ロッド５８はこれに整合する位置に配置されたソケット６０内に嵌合し、またピニオンの回転軸５４のスプラインを切られた端部５５はそれに整合して設けられた駆動軸６２の対応するスプライン孔に係合し、同じく端板１４より印刷ドラムの中心軸線に平行に延在するよう突出た触子ロッド６３はそれに整合して側板３４に設けられた環状部材６４の孔を貫通し、リミットスイッチ６６の触子６８に接する位置に至る。駆動軸６２はプーリ６５を備え、該プーリに掛けられた無端ベルト７０により駆動され、回転軸５４を経てピニオン５０及び５２を駆動し、円板部材４０及び４２の歯車部を経て印刷ドラム１０を回転駆動する。
【００２２】
係合ロッド５８にはその先端の近くに環状溝７２が設けられており、ソケット６０には係合ロッド５８が該ソケット内に一杯に挿入されたとき該環状溝に整合する横溝７４が設けられており、該横溝内に係合した係止片７６がその先端にて環状溝７２に嵌合し、係合ロッド５８とソケット６０とを軸線方向の移動に対し互いに固定するようになっている。係止片７６はリンク７８により支持されており、リンク７８はソケット６０に固定されたブラケット８０に枢軸８２にて枢支されている。リンク７８はその一端とブラケット８０より延在する腕８３の間に装着された引張りコイルばね８４により枢軸８２の周りに図４で見て反時計周り方向に付勢され、これによって係止片７６はその先端を横溝７４内へ押込む方向に付勢されている。リンク７８の他端はソケット６０に取付けられたソレノイド８６の作動子８８と枢軸９０にて連結されており、ソレノイド８６が励磁されるとリンク７８を引張りコイルばね８４のばね力に抗して枢軸８２の周りに図４にて時計廻り方向に回動させ、係止片７６の先端を横溝７４より引抜き、係合ロッド５８とソケット６０の間の軸線方向の係合を解除するようになっている。
【００２３】
ブラケット８０の一部に設けられた舌片部９２は、印刷機枠体３２の側に固定された光センサ９４と共働してソケット６０の印刷機枠体３２に対する軸線方向の移動位置が標準位置にあるか否かを検出する標準位置検出手段９５を構成しており、これによって印刷機枠体３２に対するソケット６０の標準位置が検出されるようになっている。尚、ソケット６０は、それに装着されたブラケット８０及びソレノイド８６を伴って、図には示されいない案内手段によりその中心軸線の周りに傾動することなくその軸線方向に移動できるようになっている。
【００２４】
ソケット６０には係合ロッド５８と係合する側と反対の側の軸端部にねじ孔９６が設けられており、該ねじ孔には歯車９８と一体になったねじ軸９９が係合している。歯車９８とねじ軸９９とは軸受手段１００及び１０１により印刷機枠体３２より軸線方向には移動しないよう回転可能に支持されている。歯車９８は歯車１０２と噛合ってこれより駆動されるようになっており、歯車１０２はパルスモータ１０４によって駆動されるようになっている。パルスモータ１０４は図には示されていない標準位置復帰指令用の押しボタンが押されたとき標準位置検出手段９５と合い呼応して作動し、ソケット６０を標準位置に復帰させるようになっている。
【００２５】
ねじ軸９９には歯車９８に隣接して同心にベルト車１０６が設けられている。これに対応して印刷機枠体３２より軸１０８にて回転可能に支持されたベルト車１１０が設けられており、これらのベルト車１０６と１１０の間に無端ベルト１１２が掛け渡されている。軸１０８の他端には傘歯車１１４が設けられている。この傘歯車には印刷機枠体３２よりブラケット１１６を経て回転可能に支持された軸１１８の一端に設けられた傘歯車１２０が噛み合っている。軸１１８はこれに軸線方向に整合して印刷機枠体３２よりブラケット１２２を経て回転可能に支持された軸１２４と選択的にトルク伝達関係に係合するようになっている。
【００２６】
即ち、軸１１８の先端には、キー軸１２６が、その第一のキー部１２８により、軸１１８の対応するキー孔１３０内に、軸１１８に対して軸線方向には移動できるが軸１１８に対してその中心軸線の周りには回転できないよう装着されている。キー軸部１２６はその他端部に第二のキー部１３２を備えており、この第二のキー部１３２は、キー軸１２６がそのフランジ部１３４と軸１１８に設けられたフランジ部１３６との間に装着された圧縮コイルばね１３８のばね力により付勢されて軸１２４へ向けて移動したとき、軸１２４に設けられた対応するキー孔１４０に係合して軸１１８と軸１２４とをトルク伝達関係に連結するようになっている。軸１２４の他端には回転ノブ１４２が設けられている。キー軸１２６は、回転ノブオンオフ制御装置１４４に組み込まれた図には示されていないソレノイド装置により、図示の如くその第二のキー部１３２が軸１２２のキー孔１４０より外れる位置へ圧縮コイルばね１３８のばね力に抗して偏倚されたオフ位置と、圧縮コイルばね１３８のばね力により軸１２２へ向けて押し出され第二のキー部１３２が軸１２４のキー孔１４０に係合したオン位置との間で切り換えられるようになっており、かくして回転ノブオンオフ制御装置１４４は回転ノブ１４２の回転を印刷機枠体３２に対する印刷ドラム１０の左右位置の変化に変換する運動変換機構を通る運動の伝達を選択的に遮断するクラッチ手段を構成している。
【００２７】
歯車９８には回転角度検出装置１４６の回転入力軸に担持された歯車１４８が噛み合っている。回転角度検出装置はその回転入力軸が所定の微小回転角度だけ回動する毎に電流パルスを発生するような装置であってよい。
【００２８】
標準位置検出手段９５、パルスモータ１０４、回転ノブオンオフ制御装置１４４及び回転角度検出装置１４６は、図には示されていないマイクロコンピュータによる孔版印刷機全体のための制御装置の制御回路内に組み込まれており、回転ノブオンオフ制御装置１４４は孔版印刷機の作動と関連して制御され、又回転角度検出装置１４６により検出された回転角度は、対応する印刷ドラムの左右位置の変化に換算されて図には示されていない印刷ドラム左右位置表示装置により表示されるようになっている。
【００２９】
上記の如き構成に於て、印刷ドラム１０が印刷ドラム担持装置２４により担持された状態で印刷機枠体３２内の作動位置にあるときには、軸受２０が軸受支持部５６内に受けられており、触子ロッド６３は環状部材６４を通ってリミットスイッチ６６の触子６８を押して該リミットスイッチを作動させており、係合ロッド５８はソケット６０内に受け入れられ、その環状溝７２には係止片７６がソケットの横溝７４を経て係合した状態にある。又ピニオン回転軸５４の端部に設けられたスプライン端部５５は駆動軸６２に係合しており、無端ベルト７０を経て図には示されていない駆動源より駆動されて印刷ドラム１０を駆動できる状態にある。
【００３０】
印刷ドラム１０に新しく製版された孔版原紙が装着されたときには自動的に、又は図には示されていない左右標準位置復帰押しボタンが使用者により押されたときには、上記のマイクロコンピュータによる制御装置により、標準位置検出手段９５による監視の下にパルスモータ１０４へ相当のパルス電流が供給され、歯車９８を回転させて標準位置検出手段９５が正しく標準位置への復帰を検出するまでソケット６０が左右方向の標準位置へ移動され、印刷ドラムが印刷画像左右位置に関する標準の中立位置に設定され、ここで図には示されていない左右位置表示装置にそのことが表示される。
【００３１】
これより使用者は、印刷画像の左右位置を変更したければ、印刷ドラム左右位置表示装置に表わされる印刷画像の左右位置の変化を見ながら回転ノブを左右の回転方向に任意に手にて回転し、所望の印刷画像の左右位置を達成することができる。この場合、印刷画像左右位置の変更は、一方では回転ノブを手にて廻す手加減により任意の微小量まで連続的に小さくすることができ、又他方では所望の変更量が大きいときには、初め回転ノブを概略の所望量まで速やかに廻し、その後所望の変更量の近傍にて任意に微小調節を行うことができる。
【００３２】
回転ノブオンオフ制御装置１４４は、前記のマイクロコンピュータによる孔版印刷機全体の制御装置の制御の下に標準位置検出手段９５とパルスモータ１０４によって印刷ドラムの左右標準位置が達成されること及びリミットスイッチ６６により印刷ドラム担持装置２４の正規の装填位置への装填が検出されることに関連して、例えば印刷ドラムが左右標準位置に設定された時点よりリミットスイッチ６６が印刷ドラム担持装置２４の引き抜き移動を感知する時点までの間のみ、キー軸１２６により軸１１８と軸１２４とをトルク伝達関係に連結するよう制御されてよい。
【００３３】
但しその期間中であっても、孔版印刷機に組み込まれた図には示されていない製版手段により孔版原紙が製版され、印刷ドラム１０を低速にて回転させつつ一端を印刷ドラムの一つの母線に沿ってこれにクランプ装着された製版済孔版原紙が該一端より始まって印刷ドラムの周りに巻装される作動工程中には回転ノブオンオフ制御装置１４４にてキー部１３２とキー孔１４０との間の係合が解除され、孔版原紙巻装工程中に不用意に回転ノブ１４２が回転されることにより印刷ドラムへの孔版原紙の巻装にしわが生ずる如き不都合が回避されるようになっているのが好ましい。
【００３４】
以上に於ては本発明を一つの実施例について詳細に説明したが、本発明が図示の実施例にのみ限られるものではなく、特に図示の回転ノブ１４２よりねじ軸９９に至る手動トルク伝達系の構造及びその途中に設けられる選択的トルク伝達解除手段の構造とその配置位置については、本発明の範囲内にて他に種々の実施例が可能であることは当業者にとって明らかであろう。図６はそのような一つの一部変更実施例を示す図１と同様の平面図である。図６に於て図１に示されている部分に対応する部分は図１に於けると同様の符号により示されている。この一部変更実施例では、回転ノブオンオフ制御装置１４４がオフとされた状態でパルスモータ１０４の作動により歯車１０２が駆動されて印刷ドラムが左右標準位置に復帰される際、パルスモータにかかる負荷を図１に示されている実施例に於けるよりも軽くすることができる。かかる変更実施例の作動に於けるその他の点は図１と図６の対比より自明であろう。
【図面の簡単な説明】
【図１】本発明による孔版印刷機の一つの実施例を孔版印刷機枠体と印刷ドラム担持装置の間の印刷ドラム軸線方向の位置を微調節するための装置の部分について示す平面図。
【図２】図１に示す装置部分の側面図。
【図３】図１及び２に示す装置部分の端面図。
【図４】図３の一部を拡大して示す端面図。
【図５】図４に対応する部分の側面図。
【図６】本発明による孔版印刷機の一つの一部変更実施例を示す図１と同様の平面図。
【符号の説明】
１０…印刷ドラム
１２…サイドフレーム
１４，１６…端板
１８…持上げ把手
２０，２２…軸受
２４…印刷ドラム担持装置
２６…移動レール
２８…懸架金具
３０…固定レール
３２…印刷機枠体
３４，３６…側板
３８…引出し把手
４０，４２…円板部材
４４…多孔性シート材
４６，４８…歯車
５０，５２…ピニオン
５４…ピニオンの回転軸
５５…スプライン軸端部
５６…軸受支持部
５８…係合ロッド
６０…ソケット
６２…駆動軸
６３…触子ロッド
６４…環状部材
６５…プーリ
６６…リミットスイッチ
６８…リミットスイッチの触子
７０…無端ベルト
７２…環状溝
７４…横溝
７６…係止片
７８…リンク
８０…ブラケット
８２…枢軸
８３…腕
８４…引張りコイルばね
８６…ソレノイド
８８…ソレノイドの作動子
９０…枢軸
９２…舌片部
９４…光センサ
９５…標準位置検出手段
９６…ねじ孔
９８…歯車
９９…ねじ軸
１００，１０１…軸受手段
１０２…歯車
１０４…パルスモータ
１０６…ベルト車
１０８…軸
１１０…ベルト車
１１２…無端ベルト
１１４…傘歯車
１１６…ブラケット
１１８…軸
１２０…傘歯車
１２２…ブラケット
１２４…軸
１２６…キー軸
１２８…キー部
１３０…キー孔
１３２…キー部
１３４，１３６…フランジ部
１３８…圧縮コイルばね
１４０…キー孔
１４２…回転ノブ
１４４…回転ノブオンオフ制御装置
１４６…回転角度検出装置
１４８…歯車
【図１】
0003809287.tif 000002
【図２】
0003809287.tif 000003
【図３】
0003809287.tif 000004
【図４】
0003809287.tif 000005
【図５】
0003809287.tif 000006
【図６】
0003809287.tif 000007